(57)【要約】      （修正有）【課題】球柱の回転角度が最大になった時でも外れにくいディスクスタイラスペンの強化ペン先を提供する。【解決手段】ディスクスタイラスペンの強化ペン先１は、強化環２、平盤３、球柱４及びタッチ層組５を含む。強化環２は環本体、環体上縁、環体上縁に対応する環体下縁及び環体上縁から内向きに伸びる環体内縁を備える。平盤３は、平盤上表面、平盤下表面及び平盤上表面中心から上向きに伸びる錐形納置部を含む。錐形納置部は納置通道を含む。球柱４は球形ヘッド及び柱体部を備え、球形ヘッドは納置通道に回転移動して挿入設置する。柱体部は、錐形納置部を経て上向きの伸びるタッチペンと電気連結する。タッチ層組５は平盤下表面に設置し、タッチ層組は球形ヘッドに電気連結する。球形ヘッドが回転移動する間、タッチ層組、錐形納置部及び環体内縁は球形ヘッドを納置通道内で保つ。【選択図】図２
0003214999.tif 000002
【実用新案登録請求の範囲】
【請求項１】
タッチペンと共に使用するディスクスタイラスペンの強化ペン先において、そのうち、
環本体、該環本体に連接する環体上縁、該環体上縁に対応する環体下縁及び該環体上縁から内向きに伸びる環体内縁を備える強化環と、
平盤上表面、該平盤上表面に対応する平盤下表面及び該平盤上表面中心から上向きに伸びる錐形納置部を含み、そのうち該錐形納置部は円形断面の納置通道を含む平盤と、
球形ヘッド及び該球形ヘッドを連接する柱体部を備え、該球形ヘッドは該納置通道に回転移動して挿入設置し、該柱体部は該錐形納置部を経て上向きに伸びる該タッチペンと電気連結する球柱と、
該平盤下表面に設置し、該球形ヘッドを電気連結し、そのうち該球形ヘッドが回転して移動する間、該タッチ層組、該錐形納置部及び該環体内縁が該球形ヘッドを該納置通道内で保つタッチ層組を含むことを特徴とするディスクスタイラスペンの強化ペン先。
【請求項２】
前記納置通道は、更に納置腔上辺縁、納置腔下辺縁及び該納置通道に環設する環状槽を含み、該強化環と該環状槽は一体成型で、且つ該強化環の該環体内縁は露出し、該納置通道の該納置腔上辺縁と同じ高さで平らになることを特徴とする請求項１記載のディスクスタイラスペンの強化ペン先。
【請求項３】
前記タッチ層組は、圧縮導電片、導電支持片、中心孔を備える接着層及び導電近端層を含み、該接着層は該導電近端層を該平盤下表面と該導電支持片に接着することを特徴とする請求項１記載のディスクスタイラスペンの強化ペン先。
【請求項４】
前記平盤下表面は、中心円孔を備え、該導電支持片は該中心円孔に設置し、そのうち該導電支持片は環形底塊を備え、該環形底塊は該接着層の露出表面に接着することを特徴とする請求項３記載のディスクスタイラスペンの強化ペン先。
【請求項５】
前記圧縮導電片は、圧縮した導電材から製造され、該導電材は例として銅もしくは銀であり、該球形ヘッドが該納置通道内で回転移動する時、該圧縮導電片と該球形ヘッド間の接触表面の面積は接触を維持することを特徴とする請求項３記載のディスクスタイラスペンの強化ペン先。
【請求項６】
前記導電近端層は、透明導電材から製造され、該透明導電材は例として酸化インジウムとすることを特徴とする請求項３記載のディスクスタイラスペンの強化ペン先。
【請求項７】
前記環本体と該平盤盤下表面は、垂直もしくは該球形ヘッドと回転する中心には夾角を備え、該夾角は９０度より小さく、該環体下縁のサイズを該環体上縁のサイズより大きくすることを特徴とする請求項１記載のディスクスタイラスペンの強化ペン先。
【請求項８】
前記柱体部は、頸部、錐状段、円柱体及びロッドエンドを含み、該頸部のサイズは該球形ヘッドと該錐状段のサイズより小さく、該柱体部を該球形ヘッドに相対して中心を回転する回転移動角度は少なくとも１００度、もしくはそれ以上にして、そのうち該頸部と該球形ヘッドは一体成型であり、且つ該錐状段と該円柱体と該錐状段と該ロッドエンドは一体成型であることを特徴とする請求項１記載のディスクスタイラスペンの強化ペン先。
【請求項９】
前記ロッドエンドの形状は、円柱形状であり、該ディスクスタイラスペンの強化ペン先を電気連接して該タッチペンに圧接し、そのうち該ロッドエンドはネジ紋部であり、該ディスクスタイラスペンの強化ペン先を電気連接して該タッチペンにネジ固定することを特徴とする請求項８記載のディスクスタイラスペンの強化ペン先。
【請求項１０】
前記強化環は、更に該環体下縁から内向きに伸びた内環支持凸縁及び該環体下縁から外向きに伸びた外環支持凸縁を備えることを特徴とする請求項１記載のディスクスタイラスペンの強化ペン先。
【考案の詳細な説明】
【技術分野】
【０００１】
本考案は、ディスクスタイラスペンに関するもので、特にタッチペンと静電容量式タッチセンサーを操作するディスクスタイラスペンの強化ペン先である。
【背景技術】
【０００２】
現有のタッチペンは、一般に入力装置であり、タッチセンサー、例としてタブレット端末、モバイル端末、グラフィック端末及びその他適合する装置のタッチパネル表面に接触もしくは接近させることで、多種類の機能を実行する入力装置である。物体がタッチセンサー、特に静電容量式タッチセンサー表面に接触もしくは接近すると、タッチするか、もしくは接近した後、容量結合作用を形成した箇所のタッチパネル内で静電容量変化する。タッチセンサーコントローラ後では該静電容量変化を処理することができ、物体はタッチパネル上の座標に於いて判定し、方位(例として方位角及び傾斜角)を計算し、例として書く、描く、塗るもしくはパネル上でタッチペンで軽く叩いて選択した操作を実行しやすくなる。
【０００３】
座標判定し、方位計算を備えた数種タッチペン技術は、すでに開発されている。幾つかの技術はタッチペンの一もしくは多位置がタッチセンサーの表面で相対することで、静電容量をサーチする。その後、該静電容量を用いてその座標を判定し、該表面上に相対するタッチペンの方位を計算する。その他技術はタッチペンのペン先に導電盤を設置し、タッチペン及びタッチセンサーのタッチパネル表面間に発生する容量結合を確実にする。
【０００４】
導電盤を備えたタッチペンについて、幾つかの技術の中で、枢設回転するコネクター、例として球柱は、タッチペンを導電盤に設置して用いる。このため、使用者がタッチペンを使用する時、導電盤はタッチセンサーのタッチパネル表面と平らを保つ。
【先行技術文献】
【特許文献】
【０００５】
【特許文献１】特開2016-197372号公報
【考案の概要】
【考案が解決しようとする課題】
【０００６】
解決しようとする問題点は、該タッチペンを使用する時、導電盤は例として球柱の回転角度が最大になった時に、球柱から不意に外れてしまう。このような状況の時、球柱の引張力は減少する。そこの引張力とは軸方向/径方向上向きにおいて、球柱がその導電盤から分離しようする力を受容する力を指す。そのため、その後は不意に脱落が度々発生するようになる。その他、導電盤のサイズは小さく、且つ使用者が使用する導電盤の端点をはっきり見せやすくする技術のため、不意に外れた時、導電盤が見えなくなる。拠って導電盤を交換するのに、使用者のコストが増加してしまう。
【０００７】
これらに示すとおり、ディスクスタイラスペンの強化ペン先には上述の問題点がある。
【課題を解決するための手段】
【０００８】
本考案は、強化環、平盤、球柱及びタッチ層組を含む。強化環は環本体、環体上縁、環体上縁に対応する環体下縁及び環体上縁から内向きに伸びる環体内縁を備える。平盤は、平盤上表面、平盤下表面及び平盤上表面中心から上向きに伸びる錐形納置部を含む。錐形納置部は納置通道を含む。球柱は球形ヘッド及び柱体部を備え、球形ヘッドは納置通道に回転移動して挿入設置する。柱体部は、錐形納置部を経て上向きの伸びるタッチペンと電気連結する。タッチ層組は平盤下表面に設置し，タッチ層組は球形ヘッドに電気連結する。球形ヘッドが回転移動する間，タッチ層組、錐形納置部及び環体内縁は球形ヘッドを納置通道内で保つことを最も主要な特徴とする。
【考案の効果】
【０００９】
本考案のディスクスタイラスペンの強化ペン先は、球柱の回転角度が最大になった時でも外れにくいという利点がある。
【図面の簡単な説明】
【００１０】
【図１】本考案の良好な具体実施例で、タッチペンと合わせて使用した指示図である。
【図２】本考案の良好な具体実施例の断面図である。
【図３Ａ】本考案の良好な具体実施例の強化環の立体図である。
【図３Ｂ】本考案の良好な具体実施例の強化環の分解図である。
【図４Ａ】本考案の良好な具体実施例の強化環の別立体図である。
【図４Ｂ】本考案の良好な具体実施例の強化環の別分解図。
【図５Ａ】本考案の良好な具体実施例の平盤の断面図である。
【図５Ｂ】本考案の良好な具体実施例の平盤の別断面図である。
【図６Ａ】本考案の良好な具体実施例の球柱の立体図である。
【図６Ｂ】本考案の良好な具体実施例の球柱の別立体図である。
【図７】本考案の良好な具体実施例の立体図である。
【図８】本考案の良好な具体実施例の立体分解図である。
【図９】本考案の良好な具体実施例のタッチ層組の立体断面図である。
【考案を実施するための形態】
【００１１】
各種タッチペン及び各種静電容量式タッチセンサーを操作しやすいディスクスタイラスペンの強化ペン先を提供することを本考案の主な目的とする。
【００１２】
上述の目的を達成するため、本考案はディスクスタイラスペンの強化ペン先を提供する。タッチペンと共に使用し、該ディスクスタイラスペンの強化ペン先は、強化環、平盤、球柱及びタッチ層組を含む。強化環は環本体、環本体に連接する環体上縁、環体上縁に対応する環体下縁及び環体上縁から内向きに伸びる環体内縁を備える。平盤は平盤上表面、平盤上表面に対応する平盤下表面及び平盤上表面中心から上向きに伸びる錐形納置部を含む。そのうち錐形納置部は円形断面の納置通道を含む。球柱は、球形ヘッド及び球形ヘッドに連接する柱体部を備え、球形ヘッドは納置通道に回転移動して挿入設置する。柱体部は錐形納置部を経て上向きに伸び、該タッチペンと電気連結する。タッチ層組は平盤下表面に設置し，タッチ層組は球形ヘッドに電気連結する。球形ヘッドが回転移動する間，タッチ層組、錐形納置部及び環体内縁は球形ヘッドを納置通道内で保つ。
【００１３】
本考案は更に以下の効果を備える。強化環は球柱が使用している間に、平盤が不意に外れしまうのを防止する。その他、平盤が射出成型する時、強化環は同時に結合強度が高い内環支持凸縁と外環支持凸縁及び平盤と一体成型の環状槽を備える。それらによって、球柱の引張力が強くなり、即ち引張力は軸方向/径方向上向きにおいて球柱がその球形ヘッドを平盤から分離する前の受容力を指す。
【００１４】
タッチペンが接触してタッチセンサーのタッチパネル表面に沿って移動し、端点のクリアー可視度と正確な座標判定によって、平盤は使用者がより自然に且つ細線を書き出すため、敏感度を向上させた簡易さ(例としてクリアーな視野(遮蔽点がない)、鋭敏な端点識別、無遅延、無波線等)を備える。拠って、タッチペン使用体験が増える。本実施例のディスクスタイラスペンの強化ペン先は細線を書き出す時にタッチペンの敏感度が高まり、更に強化環によって、使用寿命が延び、球柱と平盤の間が徐々に引張力が増加して分離するのを防止する。その引張力は長時間使用及び/もしくは平盤上の軸方向/径方向に作用する力であることを示す。その他、交換コストが低く、最大回転角度の使用は確実であり且つ外れてしまうのを防止し、更に端点がクリアーな可視性と正確な座標判定を達成する。
【実施例】
【００１５】
本考案の詳細な説明及び技術内容は、図式と共に以下のとおりであるが、図式は説明のための参考に過ぎず、本考案を制限するものではない。
【００１６】
図１に示すとおり、本考案はディスクスタイラスペンの強化ペン先１を提供し、タッチペン７と共に使用し、静電容量式タッチセンサー(図略)を制御するのに用いる。該静電容量式タッチセンサー、例としてタブレット端末、モバイル端末、グラフィック端末もしくはその他適合するタッチ操作装置である。図１の実施例のとおり、タッチペン７は、ペン先部７１及びペン先部７１を連接するペンシェル７２を含む。ペン先部７１は、静電容量式タッチセンサーのタッチ操作表面をタッチ操作するディスクスタイラスペンの強化ペン先１から構成される。本実施例のディスクスタイラスペンの強化ペン先１は、ペンシェル７２の形状と同じ中心である。しかしながら、その他異なる実施例ではディスクスタイラスペンの強化ペン先１はペンシェル７２と同中心でなくてもよく、必要に拠って変更し、限定されない。ペンシェル７２はタッチ操作回路，例としてセンサー部品、信号処理部品件とその他適合部品(図１に示すのは処理システム回路７３と電源７４)を設置してもよく、タッチペン７の必要に拠って変更する。
【００１７】
その他、本実施例のディスクスタイラスペンの強化ペン先１のサイズは、ペンシェル７２のサイズより小さい。しかしながら、その他異なる実施例において、ディスクスタイラスペンの強化ペン先１のサイズは、同じ、もしくはペンシェル７２のサイズより大きくてもよく、制限されない。ディスクスタイラスペンの強化ペン先１は、適合する如何なる導電材、もしくは非導電材で製造してもよく、ディスクスタイラスペン全体の強化ペン先１からタッチペン７のペン先部７１とペンシェル７２まで電気連接する。本実施例において、ディスクスタイラスペンの強化ペン先１は、ペンシェル７２上で交換して取り付けでき、且つペンシェル７２は、適合する導電材もしくは適合する如何なる非導電材でもよく、タッチペン７の必要に応じて変更する。
【００１８】
図２に示すとおり、ディスクスタイラスペンの強化ペン先１は、強化環２、平盤３、球柱４及びタッチ層組５を含む。平盤３が長時間使用及び/もしくはディスクスタイラスペンの強化ペン先１の軸方向/径方向の力で作用するため、球柱４と平盤３間の引張力を高め、強化環２と平盤３の設計と構成は球柱４が不意に緩んでしまうことを防止する。
【００１９】
合わせて図３Ａ、図３Ｂ及び図５Ａに示すとおり、強化環２は環本体２１、環本体２１に連接する環体上縁２２、環体上縁２２に対応する一環体下縁２３、環体上縁２２から内向きに伸びる環体内縁２４、環体下縁２３から内向きに伸びる内環支持凸縁２５及び環体下縁２３から外向きに伸びる外環支持凸縁２６を備える。図３Ａ及び図３Ｂに示す実施例において、強化環２は、二環状の支持凸縁２５、２６を備え、且つ二環状の支持凸縁２５、２６は環体内縁２４に対応して設置する。二環状の支持凸縁２５、２６の形状は、環形、波形、鋸形もしくはその他適合する形状に制限されないものも含み、且つ環本体２１の環体下縁２３両側にそれぞれ設置する。しかしながら、その他異なる実施例においては内環支持凸縁２５と外環支持凸縁２６は環本体２１の環体上縁２１の環体下縁２３の間に設置することもでき、強化環２及び平盤３の環状槽３３４の間には、高い結合強度、クリアーな端点の可視度及び強化能力を備える。
【００２０】
強化環２は固体塊から構成されるが、本実施例はこれに制限されない。強化環２は一個以上の固体塊もしくは孔を備えた固体塊から構成され、強化環２及び平盤３の環状槽３３４の間で高度な結合強度、クリアーな端点可視度及び強化能力を備えられるようにする。強化環２は適合する如何なる導電、もしくは非導電材から構成され、良好なのはステンレスであり、適合する導電もしくは非導電材の湾曲係数(flexural modulus)は平盤３の湾曲係数より大きい。強化環２の高い湾曲係数、具体的に言うと、環体内縁２４の比較的高い湾曲係数は球柱４と平盤３間の結合強度を高め、球柱４が不意に外れるのを防止する。
【００２１】
平盤３は平盤上表面３１、平盤上表面３１に対応する平盤下表面３２及び平盤上表面３１中心から上向きに伸びる錐形納置部３３を含む。そのうち錐形納置部３３は円形断面の納置通道３３１を含む。平盤３は、適合する如何なる非導電材、例として透明のポリカーボネート(PC)、ポリメタクリル酸メチル(PMMA)もしくは本実施例において必要とするその他プラスチック材から構成される。本実施例における平盤３の良好なものはポリカーボネートである。錐形納置部３３は更に納置腔上辺縁３３２、納置腔下辺縁３３３及び納置通道３３１に環設する環状槽３３４を含む。強化環２は環状槽３３４と一体成型し、且つ強化環２の環体内縁２４は露出し、円形断面の納置通道３３１の納置腔上辺縁３３２と同じ高さで平らになる。それに拠って、環状槽３３４の形状及びその配置は強化環２の形状が環体内縁２４まで対応する。
【００２２】
図３Ａ、図３Ｂ及び図５Ａに示す実施例において、強化環２の環本体２１の良好なものは、平盤３の平盤下表面３２と垂直である。しかしながら図４Ａ、図４Ｂ及び図５Ｂに示す実施例に於ける強化環２の環本体２１は、平盤３の平盤下表面３２と夾角θを形成しても良い。具体的には、環本体２１と球柱４の球形ヘッド４１の回転中心は夾角θを備える。その夾角θは９０度より小さく、環体下縁２３のサイズを環体上縁２２のサイズより大きくする。その他、平盤３が射出成型されて凝固すると、強化環２の内環支持凸縁２５と外環支持凸縁２６が強化環２と環状槽３３４間の結合強度が増す。
【００２３】
図６Ａ及び図６Ｂに示すとおり、球柱４は球形ヘッド４１及び球形ヘッド４１を連接する柱体部４２を備える。球形ヘッド４１は回転移動して納置通道３３１に挿入設置し、球形ヘッド４１を内部で回転移動させる。柱体部４２は錐形納置部３３を経て上向きに伸びて該タッチペン７と電気連結する。本実施例の球柱４は適合する如何なる導電材、例としてステンレス、?、銅もしくはその他類似材料から構成し、そのうち良好なのはステンレスである。
【００２４】
柱体部４２は、頸部４２１、錐状段４２２、円柱体４２３及びロッドエンド４２４を含む。頸部４２１のサイズは球形ヘッド４１と錐状段４２２のサイズよりも小さく、得柱体部４２が相對於球形ヘッド４１に相対して中心を回転する回転移動角度θは少なくとも１００度もしくは１００度以上であり、それは図７に示す。図６Ａ及び図６Ｂに示す頸部４２１は、球形ヘッド４１と一体成型で製造し、且つ錐状段４２２と円柱体４２３は、錐状段４２２とロッドエンド４２４と一体成型で製造する。図６Ａに示す実施例において、ロッドエンド４２４の形状の良好なのは、円柱形状であり、ディスクスタイラスペンの強化ペン先１を電気連接し、該タッチペン７を押圧する。しかしながら図６Ｂに示す実施例において、ロッドエンド４２４の良好なのは、ネジ紋部(未提示)であり、ディスクスタイラスペンの強化ペン先１を電気連接し、該タッチペン７にネジ固定する。それによって、本実施例のディスクスタイラスペンの強化ペン先１をタッチペン７で取替設置する。
【００２５】
図８及び図９に示すとおり、タッチ層組５は、平盤下表面３２に設置する。タッチ層組５は球柱４の球形ヘッド４１を電気連結する。球形ヘッド４１が回転して移動する間、タッチ層組５、錐形納置部３３及び強化環２の環体内縁２４は球形ヘッド４１を納置通道３３１内で保たせる。図９に示す実施例において、タッチ層組５は圧縮導電片５１、導電支持片５２、中心孔５３１を備える接着層５３及び導電近端層５４を含む。接着層５３は導電近端層５４を平盤下表面３２と導電支持片まで接着する。接着層５３の厚みと中心孔５３１のサイズは、圧縮導電片５１、導電支持片５２、接着層５３及び導電近端層５４を電性?接球柱４に電気連結するように設計する。
【００２６】
その他、平盤下表面３２は中心円孔３２１を備え、導電支持片５２は設置して中心円孔３２１に納置する。導電支持片５２は環形底塊５２１を備え、環形底塊５２１は接着層５３の露出表面に接触する。圧縮導電片５１の良好なものは、圧縮した導電材から製造され、導電材は例として銅、銀、もしくは本実施例の必要に基づくその他適合材料とする。球形ヘッド４１が納置通道３３１内で回転移動している間、圧縮導電片５１と球形ヘッド４１間の接触表面面積(未提示)はすべて接触し続ける。具体的には圧縮導電片５１の圧縮性は使用の間、球形ヘッド４１と圧縮導電片５１の間の継続的接触を許可するだけでなく、圧縮導電片５１は球柱４で回転移動し押圧痕が作られる間、球形ヘッド４１と圧縮導電片５１の間では最大可能な接触面積を成形する。
【００２７】
圧縮導電片５１に相対し硬い導電材は、導電支持片５２に用いられ、導電支持片５２をディスクスタイラスペンの強化ペン先１上のパワーに対抗作用を起こさせる。導電近端層５４は適合する如何なる導電材、例として酸化インジウム(ITO)の透明導電膜、アルミニウムドープ酸化亜鉛(Al-doped ZnO；AZO)の透明導電膜、もしくはその他適合材料から構成する。本実施例の導電近端層５４の良好なものはITOである。球柱４が平盤３の錐形納置部３３内で回転移動している間、導電支持片５２の環形底塊５２１は接着層５３の接着面積は増え、且つ導電支持片５２に安定して粘着し、強度と安定性を高める。
【００２８】
球形ヘッド４１が回転移動する間、タッチ層組５、平盤３の錐形納置部３３と強化環２の環体内縁２４が球柱４の球形ヘッド４１を円形断面の納置通道３３１内で保っており、球柱４が平盤３から不意に外れるのを防止する。 
【００２９】
上述のとおり、本文は実施例を提示して本考案を説明するためものものであり、本考案を制限するものではない。本考案の範囲は、後述の請求範囲に示されるが、それは合法の均等物も含み、前述の説明に制限されない。
【符号の説明】
【００３０】
１        ディスクスタイラスペンの強化ペン先
２        強化環
２１        環本体
２２        環体上縁
２３        環体下縁
２４        環体内縁
２５        内環支持凸縁
２６        外環支持凸縁
３        平盤
３１        平盤上表面
３２        平盤下表面
３２１        中心円孔
３３        錐形納置部
３３１        納置通道
３３２        納置腔上辺縁
３３３        納置腔下辺縁
３３４        環状槽
４        球柱
４１        球形ヘッド
４２        柱体部
４２１        頸部
４２２        錐状段
４２３        円柱体
４２４        ロッドエンド
５        タッチ層組
５１        圧縮導電片
５２        導電支持片
５２１        環形底塊
５３        接着層
５３１        中心孔
５４        導電近端層
θ        夾角
７        タッチペン
７１        ペン先部
７２        ペンシェル
７３        処理システム回路
７４        電源
【図１】
0003214999.tif 000003
【図２】
0003214999.tif 000004
【図３Ａ】
0003214999.tif 000005
【図３Ｂ】
0003214999.tif 000006
【図４Ａ】
0003214999.tif 000007
【図４Ｂ】
0003214999.tif 000008
【図５Ａ】
0003214999.tif 000009
【図５Ｂ】
0003214999.tif 000010
【図６Ａ】
0003214999.tif 000011
【図６Ｂ】
0003214999.tif 000012
【図７】
0003214999.tif 000013
【図８】
0003214999.tif 000014
【図９】
0003214999.tif 000015
【手続補正書】
【提出日】平成29年12月13日(2017.12.13)
【手続補正１】
【補正対象書類名】実用新案登録請求の範囲
【補正対象項目名】全文
【補正方法】変更
【補正の内容】
【実用新案登録請求の範囲】
【請求項１】
タッチペンと共に使用するディスクスタイラスペンの強化ペン先において、そのうち、
環本体、該環本体に連接する環体上縁、該環体上縁に対応する環体下縁及び該環体上縁から内向きに伸びる環体内縁を備える強化環と、
平盤上表面、該平盤上表面に対応する平盤下表面及び該平盤上表面中心から上向きに伸びる錐形納置部を含み、そのうち該錐形納置部は円形断面の納置通道を含む平盤と、
球形ヘッド及び該球形ヘッドを連接する柱体部を備え、該球形ヘッドは該納置通道に回転移動して挿入設置し、該柱体部は該錐形納置部を経て上向きに伸びる該タッチペンと電気連結する球柱と、
該平盤下表面に設置し、該球形ヘッドを電気連結し、そのうち該球形ヘッドが回転して移動する間、タッチ層組、該錐形納置部及び該環体内縁が該球形ヘッドを該納置通道内で保つタッチ層組を含むことを特徴とするディスクスタイラスペンの強化ペン先。
【請求項２】
前記納置通道は、更に納置腔上辺縁、納置腔下辺縁及び該納置通道に環設する環状槽を含み、該強化環と該環状槽は一体成型で、且つ該強化環の該環体内縁は露出し、該納置通道の該納置腔上辺縁と同じ高さで平らになることを特徴とする請求項１記載のディスクスタイラスペンの強化ペン先。
【請求項３】
前記タッチ層組は、圧縮導電片、導電支持片、中心孔を備える接着層及び導電近端層を含み、該接着層は該導電近端層を該平盤下表面と該導電支持片に接着することを特徴とする請求項１記載のディスクスタイラスペンの強化ペン先。
【請求項４】
前記平盤下表面は、中心円孔を備え、該導電支持片は該中心円孔に設置し、そのうち該導電支持片は環形底塊を備え、該環形底塊は該接着層の露出表面に接着することを特徴とする請求項３記載のディスクスタイラスペンの強化ペン先。
【請求項５】
前記圧縮導電片は、圧縮した導電材から製造され、該導電材は銅もしくは銀であり、該球形ヘッドが該納置通道内で回転移動する時、該圧縮導電片と該球形ヘッド間の接触表面の面積は接触を維持することを特徴とする請求項３記載のディスクスタイラスペンの強化ペン先。
【請求項６】
前記導電近端層は、透明導電材から製造され、該透明導電材は酸化インジウムとすることを特徴とする請求項３記載のディスクスタイラスペンの強化ペン先。
【請求項７】
前記環本体と該平盤下表面は、垂直もしくは該球形ヘッドと回転する中心には夾角を備え、該夾角は９０度より小さく、該環体下縁のサイズを該環体上縁のサイズより大きくすることを特徴とする請求項１記載のディスクスタイラスペンの強化ペン先。
【請求項８】
前記柱体部は、頸部、錐状段、円柱体及びロッドエンドを含み、該頸部のサイズは該球形ヘッドと該錐状段のサイズより小さく、該柱体部を該球形ヘッドに相対して中心を回転する回転移動角度は少なくとも１００度、もしくはそれ以上にして、そのうち該頸部と該球形ヘッドは一体成型であり、且つ該錐状段と該円柱体と該錐状段と該ロッドエンドは一体成型であることを特徴とする請求項１記載のディスクスタイラスペンの強化ペン先。
【請求項９】
前記ロッドエンドの形状は、円柱形状であり、該ディスクスタイラスペンの強化ペン先を電気連接して該タッチペンに圧接し、そのうち該ロッドエンドはネジ紋部であり、該ディスクスタイラスペンの強化ペン先を電気連接して該タッチペンにネジ固定することを特徴とする請求項８記載のディスクスタイラスペンの強化ペン先。
【請求項１０】
前記強化環は、更に該環体下縁から内向きに伸びた内環支持凸縁及び該環体下縁から外向きに伸びた外環支持凸縁を備えることを特徴とする請求項１記載のディスクスタイラスペンの強化ペン先。